(57)【要約】      （修正有）【課題】脊髄神経または自律神経を整え、血液の流れを良くし、臓器の働きを良くする座席シートを提供する。【解決手段】クッション性を備えたシート１２および背もたれ１３から少なくとも構成される座席シートにおいて、前記シート１２および背もたれ１３の一方の全面に、互いに反する磁極が等間隔で配置されている磁石１２１，１３１と、前記磁石の間に所定の間隔で配置された突起部１２２，１３２と、前記磁石と突起部との間に設けられた通気孔１２３，１３３と、を備える。【選択図】図１
2010017218.tif 000002
【特許請求の範囲】
【請求項１】
クッション性を備えたシートおよび背もたれから少なくとも構成される座席シートにおいて、
前記シートおよび背もたれの一方の全面に、互いに反する磁極が等間隔で配置されている磁石と、
前記磁石の間に所定の間隔で配置された突起部と、
前記磁石と突起部との間に設けられた通気孔と、
を備えていることを特徴とする座席シート。
【請求項２】
クッション性を備えたシートおよび背もたれから少なくとも構成される座席シートにおいて、
前記シートおよび背もたれの表面近傍に埋設されている複数本の帯状形状記憶合金と、
前記シートおよび背もたれの一方の全面に、互いに反する磁極が等間隔で配置されている磁石と、
前記磁石の間に所定の間隔で配置された突起部と、
前記磁石と突起部との間に設けられた通気孔と、
を備えていることを特徴とする座席シート。
【請求項３】
前記帯状形状記憶合金は、所定間隔で突起部が設けられていることを特徴とする請求項２に記載された座席シート。
【請求項４】
前記形状記憶合金は、板状であるとともに、所定間隔で開口部が設けられ、前記開口部に合成樹脂性突起物が嵌合されていることを特徴とする請求項２に記載された座席シート。
【請求項５】
クッション性を備えたシートおよび背もたれから少なくとも構成される座席シートにおいて、
前記シートおよび背もたれの表面近傍に埋設されているアルミニウム、銅、これらの合金の少なくとも一つからなる金属シートと、
前記シートおよび背もたれの一方の全面に、前記金属シート上に取り付けられ、極性を左右上下によって異なるように配置した磁石と、
前記金属シート上に取り付けられ、前記磁石の間に所定の間隔で配置された突起部と、
前記金属シート、磁石、突起部の少なくとも一方の側に設けられたシート部材と、
前記磁石と突起部との間に設けられた通気孔と、
から少なくとも構成されていることを特徴とする座席シート。
【請求項６】
前記金属シートは、開口部が設けられており、前記磁石または突起部が前記開口部まはた平面部に設けられていることを特徴とする請求項５に記載された座席シート。
【請求項７】
クッション性を備えたシートおよび背もたれから少なくとも構成される座席シートにおいて、
前記シートおよび背もたれの表面近傍に埋設されているアルミニウム、銅、これらの合金の少なくとも一つからなる金属線または金属ストリップを編み込んだ網状部材と、
前記シートおよび背もたれの一方の全面に、前記網状部材の開口部または上部に取り付けられ、極性を左右上下によって異なるように配置した磁石と、
前記網状部材の開口部または網状部材上に取り付けられ、前記磁石の間に配置された突起部と、
から少なくとも構成されていることを特徴とする座席シート。
【請求項８】
クッション性を備えたシートおよび背もたれから少なくとも構成される座席シートにおいて、
前記シートおよび背もたれの表面近傍に埋設されているアルミニウム、銅、これらの合金の少なくとも一つからなる金属線または金属ストリップを編み込んで交差部に突起が成形されている網状部材と、
前記網状部材の開口部または上部に取り付けられ、極性を左右上下によって異なるように配置した磁石と、
から少なくとも構成されていることを特徴とする座席シート。
【請求項９】
前記網状部材または金属シートの少なくとも一方の側には、シート部材が設けられていることを特徴とする請求項１から請求項８のいずれか１項に記載された座席シート。
【発明の詳細な説明】
【技術分野】
【０００１】
本発明は、クッション性を備えたシートおよび背もたれから少なくとも構成される座席シートに関するもので、座る部分および背もたれからなる座席およびほぼ同様な構成からなる椅子あるいはソファー等を含むものである。本発明は、脊髄神経または自律神経を整え、血液の流れを良くし、臓器の働きを良くする座席シートに関するものである。本発明は、前記座席、椅子、ソファーを含めて単に、座席シートと記載する。
【背景技術】
【０００２】
従来、自動車の座席に外部から磁石が埋め込まれたシートを装着する発明は、たとえば、特開平１１−１５１１４１号公報、特開２００２−６５４１２号公報、実開昭５８−７４９４９号公報、実開昭５９−６８５５４号公報に記載されている。
【特許文献１】特開平１１−１５１１４１号公報
【特許文献１】特開２００２−６５４１２号公報
【特許文献１】実開昭５８−７４９４９号公報
【特許文献１】実開昭５９−６８５５４号公報
【発明の開示】
【発明が解決しようとする課題】
【０００３】
前記従来の座席シートは、座り心地、長時間座った場合の健康等を考慮したもがある。特に、自動車のドライバーは、長時間運転を継続した場合、神経性の疲労が多いだけでなく、臀部または背部に汗をかく場合が多く、座り心地に問題があった。
【０００４】
以上のような課題を解決するために、本発明は、長時間座っていても、疲労することなく、座り心地が良く、血液の循環が促進され、臀部または背部に汗をかくこともなく、健康に良い座席シートを提供することを目的とする。また、本発明は、臀部および／または背部の体型に合った座席シートを提供することを目的とする。
【課題を解決するための手段】
【０００５】
（第１発明）
第１発明の座席シートは、クッション性を備えたシートおよび背もたれから少なくとも構成されており、前記シートおよび背もたれの一方の全面に、互いに反する磁極が等間隔で配置されている磁石と、前記磁石の間に所定の間隔で配置された突起部と、前記磁石と突起部との間に設けられた通気孔とを備えていることを特徴とする。
【０００６】
（第２発明）
第２発明の座席シートは、クッション性を備えたシートおよび背もたれから少なくとも構成されており、前記シートおよび背もたれの表面近傍に埋設されている複数本の帯状形状記憶合金と、前記シートおよび背もたれの一方の全面に、互いに反する磁極が等間隔で配置されている磁石と、前記磁石の間に所定の間隔で配置された突起部と、前記磁石と突起部との間に設けられた通気孔とを備えていることを特徴とする。
【０００７】
（第３発明）
第３発明の座席シートにおいて、前記帯状形状記憶合金は、所定間隔で突起部が設けられていることを特徴とする。
【０００８】
（第４発明）
第４発明の座席シートにおいて、前記形状記憶合金は、板状であるとともに、所定間隔で開口部が設けられ、前記開口部に合成樹脂性突起物が嵌合されていることを特徴とする。
【０００９】
（第５発明）
第５発明の座席シートは、クッション性を備えたシートおよび背もたれから少なくとも構成されており、前記シートおよび背もたれの表面近傍に埋設されているアルミニウム、銅、これらの合金の少なくとも一つからなる金属シートと、前記シートおよび背もたれの一方の全面に、前記金属シート上に取り付けられ、極性を左右上下によって異なるように配置した磁石と、前記金属シート上に取り付けられ、前記磁石の間に所定の間隔で配置された突起部と、前記金属シート、磁石、突起部の少なくとも一方の側に設けられたシート部材と、前記磁石と突起部との間に設けられた通気孔とから少なくとも構成されていることを特徴とする。
【００１０】
（第６発明）
第６発明の座席シートにおいて、前記金属シートは、開口部が設けられており、前記磁石または突起部が前記開口部まはた平面部に設けられていることを特徴とする。
【００１１】
（第７発明）
第７発明の座席シートは、クッション性を備えたシートおよび背もたれから少なくとも構成されており、前記シートおよび背もたれの表面近傍に埋設されているアルミニウム、銅、これらの合金の少なくとも一つからなる金属線または金属ストリップを編み込んだ網状部材と、前記シートおよび背もたれの一方の全面に、前記網状部材の開口部または上部に取り付けられ、極性を左右上下によって異なるように配置した磁石と、前記網状部材の開口部または網状部材上に取り付けられ、前記磁石の間に配置された突起部とから少なくとも構成されていることを特徴とする。
【００１２】
（第８発明）
第８発明の座席シートは、クッション性を備えたシートおよび背もたれから少なくとも構成されており、前記シートおよび背もたれの表面近傍に埋設されているアルミニウム、銅、これらの合金の少なくとも一つからなる金属線または金属ストリップを編み込んで交差部に突起が成形されている網状部材と、前記網状部材の開口部または上部に取り付けられ、極性を左右上下によって異なるように配置した磁石とから少なくとも構成されていることを特徴とする。
【００１３】
（第９発明）
第９発明の座席シートにおいて、前記網状部材または金属シートの少なくとも一方の側には、シート部材が設けられていることを特徴とする。
【発明の効果】
【００１４】
本発明によれば、シートおよび背もたれの全面に磁石、突起部、および通気孔を配置したため、ツボを刺激し、脊髄神経または自律神経を整え、血液の流れを良くすることができる。
【００１５】
本発明によれば、形状記憶合金または比較的柔らかい金属シート、同じく金属ストリップ、金属線等により、座る者の体型に近づけ、長時間座っていても、疲労がない優れた座席シートとすることができる。
【００１６】
本発明によれば、突起部の部材または形状により、ツボの刺激、血行の促進等長時間座っていても、疲労がないだけでなく、健康に良い座席シートとすることができる。
【発明を実施するための最良の形態】
【００１７】
（第１発明）
第１発明の座席シートは、自動車用の座席または仕事用の高級椅子に最適であり、クッション性を備えたシートおよび背もたれから少なくとも構成されている。磁石は、前記シートおよび背もたれの一方の全面に、互いに反する磁極がほぼ等間隔で配置されて、合成樹脂性シート等に埋め込まれており、座る者の臀部および背部における血行を良くする。前記シートおよび背もたれは、装飾性のある表皮、たとえば、皮または合成樹脂製繊維、合成樹脂等により覆われているとともに、その内部にクッション性のある部材によって覆われている。
【００１８】
突起部は、前記シートおよび背もたれの一方の全面で、前記磁石の間に所定間隔で配置されているとともに、埋め込まれ、または外部から装着されており、座る者の臀部および背部におけるツボに適度の刺激を与え、血行を良くするだけでなく、疲労回復になる。前記磁石および突起部は、シートおよび背もたれの内部における浅い部分に設けられている。前記突起部は、ツボを刺激する形状にするだけでなく、トルマリン等血行を良くする物質に代えることも可能である。前記シートおよび背もたれには、通気孔が設けられており、前記臀部および背部の通気性を良好にしている。
【００１９】
なお、本発明でいう「座席シート」は、自動車の座席、椅子、ソファー等、人が腰掛けるに快適なものに適用される。また、本発明でいう「シート」は、座った場合に臀部が当たる部分をいう、本発明でいう「背もたれ」は、前記座席シートに人が座った場合、背中が当たる部分をいう。
【００２０】
（第２発明）
第２発明の座席シートは、前記シートおよび背もたれの表面近傍に複数本の帯状形状記憶合金が埋設されている点で、第１発明と構成が異なっている。前記帯状形状記憶合金は、予め使用者の体型を計ることにより、長時間座っていても疲れないような形状に予め成形することができ、前記磁石および突起部と合わせて長時間使用していても疲労することなく、健康に良い座席シートとなる。前記座席シートは、第１発明と同様に、通気孔を設けることにより、臀部および背部の通気性を良くしている。
【００２１】
（第３発明）
第３発明の座席シートにおいて、第２発明の帯状形状記憶合金は、使用者の体型に合わせる形状に成形するとともに、所定間隔に配置された突起部が設けられている。前記帯状形状記憶合金に設けられた突起部は、使用者の体型に合わせる際に、突起の大きさまたは高さも調節することができ、長時間座っていても、快適な座席シートとなる。
【００２２】
（第４発明）
第４発明の座席シートにおいて、第２発明の帯状形状記憶合金は、形状を使用者の体型に合わせる前に、所定間隔で開口部を設ける。合成樹脂性突起物は、前記帯状形状記憶合金の開口部に嵌合される。前記合成樹脂性突起物は、大きさおよび形状を使用者の好みに合わせることが容易にできる。
【００２３】
（第５発明）
第５発明の座席シートは、形状記憶合金の代わりにアルミニウム、銅、これらの合金の少なくとも一つから構成されている金属シートが基材になっている。また、前記金属シートには、臀部および背部に対する通気性を良くする通気孔が設けられている。前記形状記憶合金が高価であるのに対して、前記アルミニウム、銅、これらの合金は、安価であり、繰り返し座ることにより、自然と使用者の体型にあった形状に変形する。磁石および突起の配置は、前記第１発明から第４発明とほぼ同じにする。
【００２４】
（第６発明）
第６発明の座席シートにおいて、前記金属シートは、多数の開口部が縦横に整列されて設けられている。前記磁石または突起部は、前記金属シートの開口部まはた平面部に設けられている。前記金属シートは、磁石および突起のある部分および無い部分における全体が使用者の体型に合うようになる。また、前記金属シートは、開口部が設けられているため、別に、通気孔を設ける必要がない。
【００２５】
（第７発明）
第７発明の座席シートは、前記金属シートの代わりにアルミニウム、銅、これらの合金の少なくとも一つからなる金属線または金属ストリップが編み込まれ、前記シートおよび背もたれの表面近傍に埋設されている。前記編み込まれた網状部材は、その開口部または上部に極性を左右上下によって異なるように配置された磁石が取り付けられている。また、突起部は、前記網状部材の開口部または網状部材上に取り付けられている。さらに、前記金属線または金属ストリップは、編み込んでいるため、通気孔を設けることなく、通気性を良好にすることができる。
【００２６】
（第８発明）
第８発明の座席シートは、金属線または金属ストリップを編み込む際に凸部が成形されるようにして、突起部の代わりにする。磁石を設ける場合は、凹部の部分に取り付ける。前記座席シートは、使用者が繰り返して使用する内に、自然と体型に合うでけでなく、血行を良くして、健康を増進させることができる。
【００２７】
（第９発明）
第９発明の座席シートは、磁石、突起部、金属シート、金属ストリップ、金属線、網状部材の少なくとも一方の側にシート部材を設けている。前記シート部材は、厚さと柔軟性により、適度のクッション性を与えることができる。
【実施例１】
【００２８】
図１（イ）および（ロ）は本発明の第１実施例である座席シートを説明するための概略図である。図２は本発明の第１実施例である座席シートの側面図である。図３（イ）および（ロ）は本発明の第１実施例である座席シートにおける図１（イ）のＡ−Ａ、Ｂ−Ｂ断面図である。図１（イ）および（ロ）と図２、図３（イ）および（ロ）において、座席シート１１は、シート１２と、背もたれ１３と、首当て１４とから少なくとも構成されている。
【００２９】
前記シート１２は、ほぼ中央部にたとえば、合成樹脂性シート１５が設けられており、前記合成樹脂性シート１５の全面に、磁石１２１が互いに反する磁極をほぼ等間隔になるように配置されている。また、突起部１２２は、前記磁石１２１の間に所定の間隔で配置されている。さらに、通気孔１２３は、前記磁石１２１と突起部１２２との間に設けられている。
【００３０】
前記背もたれ１３は、シート１２より、やや長めであり、ほぼ中央部にたとえば、合成樹脂性シート１６が設けられており、前記合成樹脂性シート１６の全面に、磁石１３１が互いに反する磁極をほぼ等間隔になるように配置されている。また、突起部１３２は、前記磁石１３１の間に所定の間隔で配置されている。さらに、通気孔１３３は、前記磁石１３４と突起部１３２との間に設けられている。前記合成樹脂性シート１５、１６は、各種公知または周知の部材に変えることができる。また、前記磁石１２１、１３１および突起部１２２、１３２は、形状および取り付けに、任意部材または接着剤等を使用することができる。
【００３１】
前記シート１２において、前記磁石１２１は、たとえば、直径が２０ｍｍ、厚さが３ｍｍで、図示のごとく数が４×４個とした。また、前記突起部１２２は、たとえば、直径が２５ｍｍ、厚さが５ｍｍで、図示のごとく数が３×５個とした。前記背もたれ１３において、前記磁石１３１は、たとえば、直径が２０ｍｍ、厚さが３ｍｍで、図示のごとく数が７×４個とした。また、前記突起部１３２は、たとえば、直径が２５ｍｍ、厚さが５ｍｍで、図示のごとく数が６×５個とした。
【００３２】
また、前記磁石１２１、１３１は、たとえば、８００ガウスのものを埋め込むようにして設けた。前記通気孔１２３、１３３は、直径が５ｍｍで前記合成樹脂性シート１５、１６を貫通するものである。前記各部の寸法は、一例であって、任意に変更することができる。
【実施例２】
【００３３】
図４は本発明の第２実施例である座席シートにおけるシートまたは背もたれを説明するための概略図である。図４において、シートまたは背もたれ１２（１３）は、形状記憶合金４５に開口部４５３が等間隔で多数設けられている。磁石４５１は、第１実施例とほぼ同じように設けられている。また、突起部４５２は、第１実施例とほぼ同じように設けられている。前記開口部４５３は、第１実施例における通気孔と同じ役目を果たす。
【００３４】
前記形状記憶合金４５は、予め体型の型をとっておき、加熱して前記型と同じに加工する。前記のように加工された形状記憶合金４５は、運転中に体を動かすことにより、ある程度変形するが元の形に戻るため、運転が容易であるだけでなく、疲労が少ない。アルミニウムまたは銅、あるいは、これらの合金からなる部材は、前記形状記憶合金４５の代わりであり、程よい厚さに加工することにより、使用する回数が増加するにしたがい、使用者の体型に合わさるようなものに変えることが可能である。
【実施例３】
【００３５】
図５（イ）は本発明の第３実施例である座席シートにおけるシートまたは背もたれを説明するための概略図、（ロ）は（イ）におけるＣ−Ｃ断面図である。図５（イ）および（ロ）において、ストリップ状形状記憶合金（またはアルミニウムまたは銅、あるいはこれらの合金）５５４は、合成樹脂性シート５５に設けられるとともに、その上に突起部５５２が設けられている。前記ストリップ状形状記憶合金５５４は、所定の等間隔で配置され、その間に、磁石５５１が互いに反する磁極となるように等間隔で配置されている。また、通気孔５５３は、前記磁石５５１の間に設けられているとともに、前記合成樹脂性シート５５を貫通する点で、第１実施例と同じである。
【実施例４】
【００３６】
図６は本発明の第４実施例で、ストリップ状金属シートを編み込んだ座席シートにおけるシートまたは背もたれを説明するための概略図である。図６において、アルミニウムまたは銅、あるいは、これらの合金からなるストリップ状金属部材６１、６１′は、互い違いに編み込まれる。前記磁石６５１および突起部６５２は、前記ストリップ状金属部材６１、６１′の開口部６５３または交差部の全面に接着剤等によって固定される。
【実施例５】
【００３７】
図７は本発明の第５実施例で、金属製線部材を編み込んだ座席シートにおけるシートまたは背もたれを説明するための概略図である。図７において、アルミニウムまたは銅、あるいは、これらの合金からなる金属製線部材７１、７１′は、互い違いに編み込まれる。前記磁石７５１および突起部７５２は、前記金属製線部材７１、７１′の開口部７５３または交差部の全面に接着剤等によって固定される。
【実施例６】
【００３８】
図８は本発明の第６実施例で、金属製線部材を編み込んだ座席シートにおける他のシートまたは背もたれを説明するための概略図である。図８において、アルミニウムまたは銅、あるいは、これらの合金からなる金属製線部材８１、８１′は、たとえば、一方の強度を高くするとともに、互い違いに編み込む際に、線状突起８５２を設ける。磁石８５１は、前記金属製線部材８１、８１′の開口部８５３または交差部に接着剤等によって全面に設けられる。
【００３９】
実施例４から実施例６に記載されたシートまたは背もたれは、通気性に優れているだけでなく、磁石による血液の循環、突起部によるツボの刺激も良好であると同時に、使用者の体型に徐々に合うようになる。
【００４０】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例における合成樹脂性シート、形状記憶合金、金属シート、金属線部材等の材質は、公知または周知である本発明の目的および効果に沿った部材を選択することができる。前記形状記憶合金、金属シート、金属線部材等の材質は、必要に応じて、代えることができる。また、シートおよび背もたれの形状は、座席シートとして目的に合った形状に設計変更することができる。
【図面の簡単な説明】
【００４１】
【図１】（イ）および（ロ）は本発明の第１実施例である座席シートを説明するための概略図である。（実施例１）
【図２】本発明の第１実施例である座席シートの側面図である。
【図３】（イ）および（ロ）は本発明の第１実施例である座席シートにおける図１（イ）のＡ−Ａ、Ｂ−Ｂ断面図である。
【図４】本発明の第２実施例である座席シートにおけるシートまたは背もたれを説明するための概略図である。（実施例２）
【図５】（イ）は本発明の第３実施例である座席シートにおけるシートまたは背もたれを説明するための概略図、（ロ）は（イ）おけるＣ−Ｃ断面図である。（実施例３）
【図６】本発明の第４実施例で、ストリップ状金属シートを編み込んだ座席シートにおけるシートまたは背４たれを説明するための概略図である。（実施例４）
【図７】本発明の第５実施例で、金属製線部材を編み込んだ座席シートにおけるシートまたは背もたれを説明するための概略図である。（実施例５）
【図８】本発明の第６実施例で、金属製線部材を編み込んだ座席シートにおける他のシートまたは背もたれを説明するための概略図である。（実施例６）
【符号の説明】
【００４２】
１１・・・座席シート
１２・・・シート
１２１・・磁石
１２２・・突起部
１２３・・通気孔
１３・・・背もたれ
１３１・・磁石
１３２・・突起部
１３３・・通気孔
１５（１６）・・・合成樹脂性シート
４５・・・形状記憶合金
４５１・・磁石
４５２・・突起部
４５３・・開口部
５５・・・合成樹脂性シート
５５１・・磁石
５５２・・突起部
５５３・・通気孔
５５４・・ストリップ状形状記憶合金
６１、６１′・・・ストリップ状金属部材
６５１・・磁石
６５２・・突起部
６５３・・開口部
７１、７１′・・・金属製線部材
７５１・・磁石
７５２・・突起部
７５３・・開口部
８１、８１′・・・金属製線部材
８５１・・磁石
８５２・・線状突起部
８５３・・開口部
【図１】
2010017218.tif 000003
【図２】
2010017218.tif 000004
【図３】
2010017218.tif 000005
【図４】
2010017218.tif 000006
【図５】
2010017218.tif 000007
【図６】
2010017218.tif 000008
【図７】
2010017218.tif 000009
【図８】
2010017218.tif 000010